(57)【要約】      （修正有）【課題】開封時の視認性に優れ、手、指等の怪我を防止し、開封性が向上した易開封性パウチ及びその製造方法を提供する。【解決手段】パウチ１のシール部２の外縁３を切り込んで開封用のノッチ４を形成した易開封性パウチにおいて、前記シール部２の外縁３とノッチ４の切り込みが交わる部分が曲線状切り込み部から成り、一方の第１曲線状切り込み部４aに連続して第１直線状切り込部４aを形成し、他方の第２曲線状切り込部４ｂの先端部を前記第１曲線状切り込み部４aに当接させた易開封性パウチとする。【選択図】図２
2014037247.tif 000002
【特許請求の範囲】
【請求項１】
パウチのシール部の外縁を切り込んで開封用のノッチを形成した易開封性パウチにおいて、前記シール部の外縁とノッチの切り込みが交わる部分が曲線状切り込み部から成り、一方の第１曲線状切り込み部に連続して第１直線状切り込部を形成し、他方の第２曲線状切り込部の先端部を前記第１曲線状切り込み部に当接させたことを特徴とする易開封性パウチ。
【請求項２】
前記第１及び第２曲線状切り込み部の接線同士のなす角度が９０度、或いは略９０度であることを特徴とする請求項１に記載の易開封性パウチ。
【請求項３】
前記第２曲線状切り込み部に、先端部に向かう第２直線状切り込み部を形成し、その先端部を前記第１曲線状切り込み部に当接したことを特徴とする請求項１に記載の易開封性パウチ。
【請求項４】
前記第１曲線状切り込み部の接線と第２直線状切り込み部の傾斜線との成す角度が９０度、或いは略９０度であることを特徴とする請求項３に記載の易開封性パウチ。
【請求項５】
パウチのシール部の外縁を切り込んで開封用のノッチを形成した易開封性パウチの製造方法において、切断刃の一方の端部を第１曲線状刃部と該第１曲線状刃部に連続にする第１直線状刃部とすると共に、該切断刃の他方の端部を第２曲線状刃部とし、該第２曲線状刃部の先端部を前記第１曲線状刃部に当接させて切り込みを行い、前記シール部の外縁からノッチを形成することを特徴とする易開封性パウチの製造方法。
【請求項６】
前記第１及び第２曲線状刃部の接線同士のなす角度が９０度、或いは略９０度であることを特徴とする請求項５に記載の易開封性パウチの製造方法。
【請求項７】
前記第２曲線状刃部に、先端部に向かう第２直線状刃部を設け、その先端部を前記第１曲線状刃部に当接したことを特徴とする請求項５に記載の易開封性パウチの製造方法。
【請求項８】
前記第１曲線状刃部の接線と前記第２直線状刃部の傾斜線との成す角度が９０度、或いは略９０度であることを特徴とする請求項７に記載の易開封性パウチ。
【発明の詳細な説明】
【技術分野】
【０００１】
本発明は易開封性パウチ及びその製造方法、特に、開封時の視認性に優れ、手、指等の怪我が防止され、開封性に優れた易開封性パウチ及びその製造方法に関するものである。
【背景技術】
【０００２】
従来、パウチに収納した食品、洗剤、化粧品、或いはシャンプー、リンス等の内容物を取り出す際に、パウチのシール部を直線的に引き裂くノッチ（Ｉノッチ）、或いはパウチのシール部にＶノッチを設け、内容物の取り出しを容易した易開封性パウチが提案されている（特許文献１、２参照）。  また、包装袋開封用のノッチを形成した包装袋で、熱接着部の外縁線とノッチの切り込み線の交わる部分が、直径Ｒが３ｍｍ〜１６ｍｍの円弧状とした合成樹脂製包装袋も提案されている（特許文献３）。
【先行技術文献】
【特許文献】
【０００３】
【特許文献１】特開２００１−２１９９４４
【特許文献２】特開２００１−２３３３５５
【特許文献３】特開平９−３９９８６
【発明の概要】
【発明が解決しようとする課題】
【０００４】
しかしながら、前述した特許文献１のパウチは、直線的な幅が狭いノッチのため、開封時のノッチの視認性に劣り、また、開封時にノッチによって分離されたシール部の鋭利な角部で手、指等の怪我を負う恐れがある。  
【０００５】
一方、特許文献２のパウチは、開封時のノッチの視認性は得られるものの、特許文献１と同様に、開封時にノッチによって分離されたシール部の鋭利な角部で手、指等の怪我を負う恐れがある。
【０００６】
また、特許文献３のパウチは、手、指や包装袋同士の傷つきは防止されるものの、開封性において未だ改良すべき点が存在する。
【課題を解決するための手段】
【０００７】
本発明によれば、パウチのシール部の外縁を切り込んで開封用のノッチを形成した易開封性パウチにおいて、前記シール部の外縁とノッチの切り込みが交わる部分が曲線状切り込み部から成り、一方の第１曲線状切り込み部に連続して第１直線状切り込部を形成し、他方の第２曲線状切り込部の先端部を前記第１曲線状切り込み部に当接させたことを特徴とする易開封性パウチが提供される。そして、本発明の易開封性パウチにおいては、１．前記第１及び第２曲線状切り込み部の接線同士のなす角度が９０度、或いは略９０度であること、２．前記第２曲線状切り込み部に、先端部に向かう第２直線状切り込み部を形成し、その先端部を前記第１曲線状切り込み部に当接すること、３．前記第１曲線状切り込み部の接線と第２直線状切り込み部の傾斜線との成す角度が９０度、或いは略９０度であること、が好ましい。
【０００８】
また、本発明によれば、パウチのシール部の外縁を切り込んで開封用のノッチを形成した易開封性パウチの製造方法において、切断刃の一方の端部を第１曲線状刃部と該第１曲線状刃部に連続にする第１直線状刃部とすると共に、該切断刃の他方の端部を第２曲線状刃部とし、該第２曲線状刃部の先端部を前記第１曲線状刃部に当接させて切り込みを行い、前記シール部の外縁からノッチを形成することを特徴とする易開封性パウチの製造方法が提供される。  そして、本発明の易開封性パウチの製造方法においては、１．前記第１及び第２曲線状刃部の接線同士のなす角度が９０度、或いは略９０度であること、２．前記第２曲線状刃部に、先端部に向かう第２直線状刃部を設け、その先端部を前記第１曲線状刃部に当接すること、３．前記第１曲線状刃部の接線と前記第２直線状刃部の傾斜線との成す角度が９０度、或いは略９０度であること、が好ましい。
【発明の効果】
【０００９】
本発明の易開封性パウチによれば、パウチの開封時のノッチの視認性に優れ、手、指等の怪我が防止されると共に、より一層、開封性が向上した易開封性パウチとすることができる。また、本発明の易開封性パウチの製造方法によれば、前記ノッチの形成に際し、切断刃の先端部を研削して当接させることが不要となり、さらに、ノッチを形成する際の切断刃同士の先端部の離れが防止され、耐久性も向上させて前記易開封性パウチを容易に製造することが可能になる。
【図面の簡単な説明】
【００１０】
【図１】本発明の易開封性パウチを示す図である。
【図２】本発明の易開封性パウチにおける易開封部Ａ−Ａの拡大図である。
【図３】本発明の易開封性パウチにおける他の実施形態の易開封部Ａ−Ａの拡大図である。
【図４】本発明の易開封性パウチの易開封部を加工する切断刃を示す図である。
【図５】本発明の易開封性パウチの易開封部を加工する切断刃の他の実施形態を示す図である。
【発明を実施するための形態】
【００１１】
以下、この発明を実施するための最良の形態について、図面を参照しつつ詳細に説明する。図１は、本発明の易開封性パウチを示す図であって、１はパウチ、２はシール部、３はシール部の外縁、４はノッチ（切り込み）で、シール部２がパウチ１の外周部に形成されている。そして、パウチ１の形態としては三方シールタイプの平パウチ、スタンディングパウチ、角底袋、センターシール（背貼り）タイプのパウチ等のパウチが用いられ、図示しないが、パウチ１をスタンディングパウチとして外方に突出する注出部等を設け、この注出部を形成するシール部２の外縁を切り込んで開封用のノッチ４を形成しても良い。
【００１２】
図２の拡大図に示すように、パウチ１の外周部のシール部２の外縁３を切り込んで形成されるノッチ４は、パウチ１のシール部２の外縁３から形成され、その形状は、シール部２の外縁３とノッチ４との切り込みが交わる部分は、第１及び第２の曲線状切り込み部４ａ、４ｂである。そして、一方の第１曲線状切り込み部４ａには連続して第１直線状切り込み部４ｃが形成されており、他方の第２曲線状切り込み部４ｂの先端部を前記第１曲線状切り込み部４ａに当接させている。また、前記第１曲線状切り込み部４ａと第２曲線状切り込み部４ｂとの接点４ｄから内方には、前記第１曲線状切り込み部４ａと第１直線状切り込み部４ｃがさらに延長して形成される。
【００１３】
尚、前記ノッチ４の第１の曲線状切り込み部４ａの接線αと、第２曲線状切り込み部４ｂの接線βとの接線同士の成す角度を９０度、或いは略９０度とすることにより、前述したノッチ４の視認性を、一層、向上させることができる。
【００１４】
また、前述したノッチ４において、図３に示すように第２曲線状切り込み部４ｂに、先端部に向かう第２直線状切り込み部４ｅを形成し、この第２直線状切り込み部４ｅの先端部を第１曲線状切り込み部４ａに当接させても良く、このようなノッチ４とすることより、より一層、パウチ１を開封する際のノッチ４の視認性が向上する。
【００１５】
尚、前記ノッチ４の第１曲線状切り込み部４ａの接線αと、第２曲線状切り込み部４ｂに形成した第２直線状切り込み部４ｅの傾斜線θとの成す角度を９０度、或いは略９０度とすることにより、前述したノッチ４の視認性を、より一層、向上させることができる。
【００１６】
このように、図２、図３に示すノッチ４を、パウチ１を開封するノッチとして形成することにより、パウチ１を開封する際のノッチ４の視認性に優れ、手、指等の怪我が防止されると共に、より一層、開封性が向上したパウチ１とすることができる。
【００１７】
図４（ａ）は、本発明の易開封性パウチの製造方法に用いる切断刃を示す図であって、１０は切断刃、１１、１２は切断刃の端部、１３は切断刃１０の一方の端部１１に設けられる第１曲線状刃部、１４は前記第１曲線状刃部１３に連続して設けられる第１直線状刃部、１５は切断刃１０の他方の端部１２に設けられる第２曲線状刃部であり、切断刃１０は図示しないが帯状部材から成り、特にトムソン刃が好ましい。  
【００１８】
そして、この切断刃１０を用いて、パウチ１のシール部２に開封用のノッチ４を形成する際は、図４（ｂ）に示すように、切断刃１０の一方の端部１１に設けた第１曲線状刃部１３に、他方の端部１２に設けた第２曲線状刃部１５の先端部を当接させる。また、一方の第１曲線状刃部１３と他方の第２曲線状刃部１４との接点１６から内方には、前記第１曲線状刃部１３と第１直線状刃部１４がさらに延長して設けられ、この状態で切断刃１０を動作し、パウチ１のシール部２の外縁３から切り込んで前述したノッチ４を形成する。
【００１９】
尚、前記切断刃１０の端部１１の第１曲線状刃部１３の接線αと、端部１２の第２曲線状刃部１５の接線βとの接線同士の成す角度を９０度、或いは略９０度とすることにより、前記切断刃１０の端部１１、１２の先端部同士の当接状態が安定し、切断刃１０の製作が容易となり、耐久性も、一層、向上させることができる。
【００２０】
また、切断刃１０は、図５（ａ）に示すように、切断刃１０の他方の端部１２の第２曲線状刃部１５に、先端部に向かう第２直線状刃部１７を設け、図５（ｂ）に示すように、この第２直線状刃部１７の先端部を第１曲線状刃部１３に当接させ、この状態で切断刃１０を動作して、パウチ１のシール部２の外縁３から切り込んで前記ノッチ４を形成する。そして、このような切断刃１０を用いてノッチ４をパウチ１に形成することより、より一層、切断刃同士の先端部の離れが防止されると共に、その耐久性も向上させることができる。
【００２１】
尚、前記切断刃１０の一方の端部１１の第１曲線状刃部１３の接線αと、端部１２の第２曲線状刃部１５に設けた第２直線状刃部１７の傾斜線θとの成す角度を９０度、或いは略９０度とすることにより、前記切断刃１０の端部１１、１２の先端部同士の当接状態が安定し、切断刃１０の製作が容易となり、耐久性も、より一層、向上させることができる。
【００２２】
このように、図４、図５に示す切断刃１０を用いて、パウチ１のシール部２の外縁３からノッチ４を形成することにより、前記シール部２を切断してノッチ４を形成する際に、切断刃１０の先端部を研削によって薄くして当接させることが不要となるため、前記切断刃１０を効率良く製作でき、易開封性パウチを容易に製造することが可能になる。また、ノッチ４を形成する際の切断刃１０の端部１１、１２同士の先端部の離れが防止され、その耐久性も向上させることができる。  
【００２３】
本発明の易開封性パウチに使用するフィルム素材としては、特に制限されるものではなく、前記フィルム素材に適した樹脂材料としては、例えば結晶性ポリプロピレン、結晶性プロピレンーエチレン共重合体、結晶性ポリブテンー１、結晶性ポリ４−メチルペンテン−１、低密度ポリエチレン、中密度ポリエチレン、あるいは高密度ポリエチレン、エチレン−酢酸ビニル共重合体（ＥＶＡ）、エチレン−アクリル酸エチル共重合体（ＥＥＡ）イオン架橋オレフィン共重合体（アイオノマー）等のポリオレフィン類；ポリスチレン、スチレン−プタジエン共重合体等の芳香族ビニル共重合体；ポリ塩化ビニル、塩化ビリニデン樹脂等のハロゲン化ビニル重合体；アクリロニトリル−スチレン共重合体；アクリロニトル−スチレン−ブタジエン共重合体のようなニトリル重合体；ナイロン６、ナイロン６６、パラまたはメタキシリレンアジパミドの如きポリアミド類；ポリエチレンテレフタレート、ポリテトラメチレンテレフタレート等のポリエステル類；各種ポリカーボネート；ポリオキシメチレン等のポリアセタール類等の熱可塑性樹脂等を挙げることができる。これらの材料からなるフィルム状パウチ素材は、未延伸、一軸延伸、あるいは二軸延伸して用いられる。
【００２４】
さらに、本発明の易開封性パウチ容器に使用するフィルム素材としては、これらのフィルム素材を単層、あるいは、二種類以上を積層して構成することができ、また、これらのフィルム状パウチ素材の一種、あるいは、二種以上を積層して構成することができ、また、これらのフィルム素材の一種、あるいは、二種以上と、アルミニウム等の金属箔、金属又は金属酸化物の蒸着フィルム、紙、セロファン等を張合わせて構成することもできる。好ましいフィルム素材としては、例えば、延伸ナイロンフィルムを外層とし、低密度ポリエチレン、ポリプロピレン等のポリオレフィンフィルムを内層とする二層構成、延伸ポリエステルフィルムを外層とし、ポリオレフィンフィルムを内層とする二層構成、及びこれらの内、外層フィルム間にアルミニウム等の金属箔、延伸ナイロンフィルム、
延伸ポリエステルフィルム等のバリア材を積層した三層乃至四層構成の積層フィルム等が挙げられ、これらの積層フィルムの製造に際しては、各層間に必要に応じて接着剤、アンカー剤を介在させることもできる。
【産業上の利用可能性】
【００２５】
以上の説明から明らかな通り、本発明の易開封性パウチ及びその製造方法は、ノッチによる易開封性を付与した易開封性パウチに好適に利用できる。
【符号の説明】
【００２６】
１          パウチ２          シール部３          シール部の外縁４          ノッチ１０        切断刃１１、１２  切断刃の端部１３        第１曲線状刃部１４        第１直線状刃部１５        第２曲線状刃部１６        接点１７        第２直線状刃部             
【図１】
2014037247.tif 000003
【図２】
2014037247.tif 000004
【図３】
2014037247.tif 000005
【図４】
2014037247.tif 000006
【図５】
2014037247.tif 000007